(57)【要約】【課題】コンパクトに折り畳めてパッケージや収納保管に都合の良い折り畳み式ハンガーを提供する。【解決手段】竿掛部２と、複数のハンガー部４が吊着される折り畳み可能な本体部１と、この本体部１と前記竿掛部２を連結する吊り部３とで構成されている。前記吊り部３は、各連結部分において、上下左右に回動自在に結合されている。前記吊り部３はジョイント部１１と上下に回動自在に結合され、且つ、ジョイント部１１は各連結部分と左右に回動自在に結合されている。【選択図】図１
2007167115.tif 000002
【特許請求の範囲】
【請求項１】
竿掛部と、複数のハンガー部が吊着される折り畳み可能な本体部と、この本体部と前記竿掛部を連結する吊り部とで構成され、
前記吊り部は、各連結部分において上下左右に回動自在に結合されていることを特徴とする折り畳み式ハンガー。
【請求項２】
前記吊り部はジョイント部と上下に回動自在に結合され、且つ、ジョイント部は各連結部分と左右に回動自在に結合されていることを特徴とする請求項１に記載の折り畳み式ハンガー。
【請求項３】
本体部側ジョイント部の回動範囲を規制するストッパーを備えていることを特徴とする請求項１または請求項２の何れかに記載の折り畳み式ハンガー。
【請求項４】
前記吊り部は金属ワイヤーで構成されることを特徴とする請求項１から請求項３までの何れかに記載の折り畳み式ハンガー。
【発明の詳細な説明】
【技術分野】
【０００１】
本発明は、折り畳み式ハンガーの折り畳み機構に関するものである。
【背景技術】
【０００２】
従来より、フック部と複数の吊り部（ピンチ、ハンガー）を備えた折り畳み可能な本体部と、この本体部とフック部を連結する吊り紐とで構成される折り畳み式の多連ハンガーが知られている（特許文献１参照）。通常、このような多連式の物干しハンガーでは、折り畳み時の柔軟性（折り畳み易さ）や折り畳み後の収納・保管、或いは、販売時のパッケージ形態等の面から、極力コンパクトに折り畳めるように、例えば、ポリエチレン製等の比較的柔らかい素材を使用した曲がり易い吊り紐が使用されている。
【０００３】
ところが、ポリエチレン製の吊り紐は、柔軟性を有する分、機械強度や耐候性に劣るため、多数の干し物を吊着する多連ハンガーでは、長期間使用していると干し物の吊り下げ荷重に耐えきれずに吊り紐部分が破損してしまうという問題があった。このため、一部では、このような樹脂製の吊り紐に替えて金属製（ステンレス製）ワイヤーを用いたものも出現しているが、金属製ワイヤーは機械的強度に優れるものの柔軟性に欠けるため、折り畳んで小さく纏めることが難しく、特に、フック部は、折り畳み不可であるため、販売時のパッケージ（包装）や収納保管の際には邪魔になっていた。
【特許文献１】特開２００５−２１８８３５号公報
【発明の開示】
【発明が解決しようとする課題】
【０００４】
本発明は、上記問題に鑑み成されたもので、コンパクトに折り畳みでき、収納保管やパッケージに都合の良い折り畳み式ハンガーを提供することを目的としている。
【課題を解決するための手段】
【０００５】
すなわち、請求項１に記載の本発明は、竿掛部と、複数のハンガー部が吊着される折り畳み可能な本体部と、この本体部と前記竿掛部を連結する吊り部とで構成され、前記吊り部は、各連結部分において上下左右に回動自在に結合されていることを特徴としている。
【０００６】
また、請求項２に記載の本発明は、請求項１に記載の折り畳み式ハンガーにおいて、前記吊り部はジョイント部と上下に回動自在に結合され、且つ、ジョイント部は各連結部分と左右に回動自在に結合されていることを特徴としている。
【０００７】
また、請求項３に記載の本発明は、請求項１または請求項２の何れかに記載の折り畳み式ハンガーにおいて、本体部側ジョイント部の回動範囲を規制するストッパーを備えていることを特徴としている。
【０００８】
また、請求項４に記載の本発明は、請求項１から請求項３までの何れかに記載の折り畳み式ハンガーにおいて、前記吊り部は金属ワイヤーで構成されることを特徴としている。
【発明の効果】
【０００９】
本発明によれば、吊り部は本体部と竿掛部のそれぞれの連結部分に上下左右に回動自在に結合されているため、本体部を２つに折り畳み、吊り部の竿掛部側を本体部の横にずらして竿掛部を下向きに回転させることができ、これにより、邪魔な竿掛部を本体側に収納することができる。また、本体部側のジョイント部の回動範囲はストッパーによって規制されているため、ハンガーを折り畳んだ後、吊り部が不用意に外側へ大きく開くことはなく、常にコンパクトな折り畳み状態を保持できる。
このように、折り畳み式ハンガーをコンパクトに折り畳むことができれば、販売時のパッケージもコンパクトにできると共に、使用しない時の保管収納にも都合が良い。
【００１０】
また、使用時においても、風等でハンガーが揺らされてもジョイント部が自在に回動するため、ジョイント部に加わる負荷は大幅に軽減されると共に、吊り部３に耐候性や機械的強度に優れる金属ワイヤーを用いているので、ハンガーの耐久性は大幅に向上する。
【発明を実施するための最良の形態】
【００１１】
以下、図面に基づいて本発明に係る折り畳み式ハンガーの一実施形態を説明する。
図１は本実施形態の折り畳み式ハンガーの構成を示し、図２、図３は、同ハンガーの折り畳み状態を示している。
【００１２】
図１〜図３に示すように、本実施形態の折り畳み式ハンガー（以下、単にハンガーという）は、竿掛部２と複数のハンガー部４が等間隔に吊着された本体部１と、この本体部１と竿掛部２を連結する吊り部３とで構成されている。本体部１、竿掛部２、およびハンガー部４等は、比較的丈夫なポリプロピレン等の合成樹脂材で構成されている。ハンガー部４は、ヒンジ機構１５により折り畳み可能である。
【００１３】
竿掛部２は、開口部が対向するように、クリップ５ａとクリップ５ｂをピン６にて開閉自在に連結したフック５と、このフック５が回動自在に結合される箱形ベース８とから構成される。フック５に介装されたバネ９はクリップ５ａ、５ｂを常時閉状態に付勢している。
【００１４】
本体部１は細長の板部材で構成され、その長手中央に設けたヒンジ機構１０によって外方向に二つ折りできるようになっている。
【００１５】
吊り部３はステンレス製の枠型ワイヤーで構成され、その両端３ａがジョイント部１１を介してそれぞれ上記した本体部１およびホルダー１３のそれぞれの連結部分に結合されるようになっている。
【００１６】
このジョイント部１１は、図４に示すように、嵌合溝１２を備える半割筒状のホルダー１３と、この嵌合溝１２の長手中央に突設された係合突起１４とで構成されている。  嵌合溝１２に上記した枠型ワイヤーの端部３ａが溝方向に対して回動自在に嵌着され、係合突起１４が各連結部分の（本体部１の端部上面およびベース８の側部）の嵌合孔１６に回動自在に嵌着されることにより、吊り部３は図１の矢印Ａ、矢印Ｂに示すように、上下左右方向（すなわち、任意方向）に回動自在と成される。
【００１７】
そして、本体部１側のジョイント部１１に近接した部位に、ホルダー１３が当接してジョイント部１１の回動範囲が規制される凸部１７（ストッパー１７）が突設されている。
【００１８】
上記構成のハンガーを折り畳む時は、先ず、図２に示すように、ヒンジ機構１０によって本体部１を二つに折り畳む。尚、吊り部３の両端は、図１の矢印Ａに示すように、ジョイント部１１に対して上下方向に回動自在であるため、この折り畳み操作によってジョイント部１１に無理な力が加わることはなく、本体部１をスムーズに二つ折りにできる。
この時、吊り部３は、折り畳まれた本体部１に重なった状態となっており、且つ、竿掛部２はこの本体部１の真上に位置し、且つ、起立した状態となっている。従って、この状態では、本体部１の折り曲げ部分が邪魔をして竿掛部２が真下に向くように大きく回転させることはできない。
【００１９】
そこで、竿掛部２が起立した状態で、図３の矢印Ｃのように、吊り部３を少々回転して竿掛部２のベース８が本体部１の真上より幾分横方向にずれるようにした上で竿掛部２を約１８０度程回転させて先端部を下向きにし、次ぎに、竿掛部２のフック５を折り畳まれた本体部１の隙間に収納する。尚、吊り部３両端の各ジョイント部１１は、図１の矢印Ｂに示すように、それぞれの連結部分（嵌合孔１６）に対して左右方向に回動自在であるため、上述の回転操作の際に各ジョイント部１１やその連結部分に無理な力を加えることはなく、ハンガーを折り畳むことができる。
こうすることにより、本体部１のにみならず従来、折り畳みに邪魔になっていた竿掛部２も合わせて折り畳むことができる。また、必要であれば、各ハンガー部４を折り畳んでも良い。
【００２０】
また、本体部１側のジョイント部１１の回動範囲はストッパー１７によって規制されているため、ハンガーを折り畳んだ後、吊り部３が不用意に外側へ開くことはなく、常にコンパクトな折り畳み状態を保持できる。このように、ハンガーをコンパクトに折り畳むことができれば、販売時のパッケージもコンパクトにでき、場所と取らず店内に陳列しておくことができると共に、家庭内等においては、使用しない時の保管収納にも都合が良い。
【００２１】
また、ハンガー使用時に風等でハンガーが揺らされても、この不規則な揺れに対応してジョイント部１１が自在に回動するため、ジョイント部１１に加わる負荷は大幅に軽減されると共に、吊り部３に耐候性や機械的強度に優れるステンレスワイヤーを用いているので、ハンガーの耐久性は大幅に向上する。
【図面の簡単な説明】
【００２２】
【図１】本発明に係る折り畳み式ハンガーの構成を示す図。
【図２】同、折り畳み式ハンガーの本体部を折り畳んだ状態を示す図。
【図３】同、折り畳み式ハンガーの本体部と竿掛部を折り畳んだ状態を示す図。
【図４】同、折り畳み式ハンガーのジョイント部の構造を示し、（ａ）は側面図  、（ｂ）は正面図、（ｃ）は裏面図。
【符号の説明】
【００２３】
１  本体部
２  竿掛部
３  吊り部
４  ハンガー部
１１  ジョイント部
１６  連結部分（嵌合孔）
１７  ストッパー（凸部）
【図１】
2007167115.tif 000003
【図２】
2007167115.tif 000004
【図３】
2007167115.tif 000005
【図４】
2007167115.tif 000006